(57)【要約】      （修正有）【課題】節電モードにおける消費電力を抑制する。【解決手段】給電制御部９５は、電力制御部９４によって通常モードが実行される期間中は、主電源部９１から動作部及び予備電源部９２へ電力を供給させ、電力制御部９４によって節電モードが実行される期間中は、主電源部９１から予備電源部９２への電力の供給を遮断し、予備電源部９２に蓄電された電力を動作部へ供給させる第１節電処理を実行し、第１節電処理の実行中に予備電源部９２から供給可能な電力が動作部を動作させるのに要する電力を下回った場合、第１指示が受け付けられていたときは、第１節電処理の実行を継続する一方、第２指示が受け付けられていたときは、主電源部９１から予備電源部９２への電力の供給を遮断し、主電源部９１から動作部へ電力を供給させる第２節電処理を実行する。【選択図】図２
2014167686.tif 000002
【特許請求の範囲】
【請求項１】
所定の機能を動作させることが可能な電子機器であって、
前記電子機器の動作に用いる電力を供給する主電源部と、
前記主電源部から供給される電力を蓄電する予備電源部と、
前記電子機器の消費電力を所定の電力にさせる通常モードと、前記通常モードよりも前記消費電力を低減させる節電モードと、を択一的に実行する電力制御部と、
前記主電源部又は前記予備電源部から供給される電力で動作する動作部と、
前記主電源部から前記動作部及び前記予備電源部へ電力を供給させる通常給電処理と、前記主電源部から前記予備電源部への電力の供給を遮断し、前記予備電源部に蓄電された電力を前記動作部へ供給させる第１節電処理と、前記主電源部から前記予備電源部への電力の供給を遮断し、前記主電源部から前記動作部へ電力を供給させる第２節電処理と、を択一的に実行する給電制御部と、
前記給電制御部に前記第１節電処理を実行させる第１指示と、前記給電制御部に前記第２節電処理を実行させる第２指示と、をユーザーから択一的に受け付ける指示受付部と、
を備え、
前記給電制御部は、前記電力制御部によって前記通常モードが実行される期間中は前記通常給電処理を実行し、前記電力制御部によって前記節電モードが実行される期間中は前記第１節電処理を実行し、前記第１節電処理の実行中に前記予備電源部から供給可能な電力が前記動作部を動作させるのに要する電力を下回った場合、前記指示受付部によって前記第１指示が受け付けられていたときは、前記第１節電処理の実行を継続する一方、前記指示受付部によって前記第２指示が受け付けられていたときは、前記第２節電処理を実行する電子機器。
【請求項２】
前記動作部は、情報を記憶する揮発性の記憶部を含み、
前記電力制御部によって前記通常モードの実行が開始されたときに、前記電子機器を前記所定の機能を動作させることが可能な動作状態にし、前記電子機器の動作状態を表す状態情報を前記記憶部に記憶する初期化処理部と、
前記電力制御部の実行対象が前記節電モードから前記通常モードに切り替えられたときに、前記記憶部に前記状態情報が記憶されているときは、前記電子機器の動作状態を前記記憶部に記憶されている前記状態情報によって表される動作状態に復帰させる復帰処理部と、を更に備える請求項１に記載の電子機器。
【請求項３】
前記給電制御部は、前記第１節電処理の実行中に前記予備電源部から供給可能な電力が前記動作部を動作させるのに要する電力を下回った場合であって、前記指示受付部によって前記第１指示が受け付けられていたときに、前記第１節電処理の実行を継続するときには、前記予備電源部に蓄電された電力の前記動作部への供給を遮断する請求項１又は２に記載の電子機器。
【請求項４】
前記主電源部から供給される電力で画像を処理する画像処理部を更に備え、
前記給電制御部は、前記通常給電処理において、更に、前記主電源部から前記画像処理部へ電力を供給させ、前記第１節電処理及び前記第２節電処理において、更に、前記主電源部から前記画像処理部への電力の供給を遮断する電子機器。
【発明の詳細な説明】
【技術分野】
【０００１】
本発明は、通常モードと節電モードとを切り替え可能な電子機器に関し、特に、節電モードにおける消費電力を抑制する技術に関する。
【背景技術】
【０００２】
従来から、通常モードと通常モードよりも消費電力を抑制する節電モードとを切り替え可能なコピー機、プリンター、携帯電話及びパソコン等の電子機器が知られている。また、近年のエネルギー問題及び環境問題に対する関心の高まりを背景に、電子機器の消費電力の低減化が一層求められており、節電モードにおける電子機器の消費電力の許容値が規格化されている。
【０００３】
例えば、コピー機やプリンター等の画像処理装置については、国際エネルギースタープログラム（画像機器基準Ｖｅｒ２．０）、ＥｒＰ（Energy-related Products）指令（Ｌｏｔ６、Ｌｏｔ２６）、独ブルーエンジェルマーク（ＲＡＬ−ＵＺ  １２２等）、日本省エネ法等によって、節電モードにおける画像処理装置の消費電力の許容値が規格化されている。
【０００４】
例えば、下記特許文献１には、主電源から供給される電力を用いて充電可能なバックアップ電源を有し、スリープ状態とウェイク状態とを切り替え可能な電源装置が開示されている。この電源装置では、ウェイク状態において主電源から供給された電力をシステム系電源に供給する。スリープ状態においては、主電源からシステム系電源への電力の供給を遮断し、装置の最低限の動作に必要な時計ブロックにのみバックアップ電源を接続する。そして、スリープ状態において、バックアップ電源の電圧が規定電圧以下になったときは、一定時間ウェイク状態に移行し、主電源をバックアップ電源に接続することによってバックアップ電源を充電する。
【先行技術文献】
【特許文献】
【０００５】
【特許文献１】特開２００５−１９５８６３号公報
【発明の概要】
【発明が解決しようとする課題】
【０００６】
しかし、上記特許文献１に記載の技術では、電子機器（電源装置）は、節電モード（スリープ状態）において、予備電源（バックアップ電源）の電圧が規定電圧以下になったときは、一定時間、通常モード（ウェイク状態）に切り替えて、予備電源を充電する。このため、電子機器は、節電モード（スリープ状態）に切り替えられた状態であるにもかかわらず、一定時間、主電源から供給される電力が通常モード時に動作する各部（システム系電源）へも供給された状態となり、主電源から供給される電力が通常モード時と同様に消費される虞があった。その結果、節電モードにおいて、主電源から供給される電力の消費量、つまり、節電モードにおける電子機器の消費電力を、規格によって定められた許容値に制限することが困難になる虞があった。
【０００７】
本発明は、このような事情に鑑みてなされたものであり、通常モードと通常モードよりも消費電力を抑制する節電モードとを切り替え可能であり、且つ、主電源から供給される電力で充電可能な予備電源を備え、節電モードにおける消費電力を抑制することができる電子機器を提供することを目的とする。
【課題を解決するための手段】
【０００８】
本発明に係る電子機器は、所定の機能を動作させることが可能な電子機器であって、前記電子機器の動作に用いる電力を供給する主電源部と、前記主電源部から供給される電力を蓄電する予備電源部と、前記電子機器の消費電力を所定の電力にさせる通常モードと、前記通常モードよりも前記消費電力を低減させる節電モードと、を択一的に実行する電力制御部と、前記主電源部又は前記予備電源部から供給される電力で動作する動作部と、前記主電源部から前記動作部及び前記予備電源部へ電力を供給させる通常給電処理と、前記主電源部から前記予備電源部への電力の供給を遮断し、前記予備電源部に蓄電された電力を前記動作部へ供給させる第１節電処理と、前記主電源部から前記予備電源部への電力の供給を遮断し、前記主電源部から前記動作部へ電力を供給させる第２節電処理と、を択一的に実行する給電制御部と、前記給電制御部に前記第１節電処理を実行させる第１指示と、前記給電制御部に前記第２節電処理を実行させる第２指示と、をユーザーから択一的に受け付ける指示受付部と、を備え、前記給電制御部は、前記電力制御部によって前記通常モードが実行される期間中は前記通常給電処理を実行し、前記電力制御部によって前記節電モードが実行される期間中は前記第１節電処理を実行し、前記第１節電処理の実行中に前記予備電源部から供給可能な電力が前記動作部を動作させるのに要する電力を下回った場合、前記指示受付部によって前記第１指示が受け付けられていたときは、前記第１節電処理の実行を継続する一方、前記指示受付部によって前記第２指示が受け付けられていたときは、前記第２節電処理を実行する。
【０００９】
この構成によれば、電力制御部によって節電モードが実行される期間中は、給電制御部によって第１節電処理が実行され、主電源部から予備電源部への電力の供給が遮断され、予備電源部に蓄電された電力が動作部へ供給される。これによって、電力制御部によって節電モードが実行される期間中において、予備電源部に蓄電された電力によって動作部を動作させることができる間は、主電源部から動作部及び予備電源部への電力の供給が行われないので、電子機器の消費電力を抑制することができる。
【００１０】
そして、第１節電処理の実行中に予備電源部から供給可能な電力が動作部を動作させるのに要する電力を下回った場合、指示受付部によってユーザーから第１指示が受け付けられていたときは、第１節電処理の実行が継続される。この場合、動作部は動作を継続できないが、主電源部から動作部及び予備電源部への電力の供給が行われないので、ユーザーの意図に応じて節電モード中の電子機器の消費電力を抑制することができる。これによって、節電モードにおける電子機器の消費電力を、規格によって定められた許容値に制限することが容易になる。
【００１１】
一方、第１節電処理の実行中に予備電源部から供給可能な電力が動作部を動作させるのに要する電力を下回った場合、指示受付部によってユーザーから第２指示が受け付けられていたときは、第１節電処理に替えて第２節電処理が実行され、主電源部から動作部へ電力が供給される。この場合、電力制御部によって節電モードが実行された場合において、主電源部から動作部へ電力が供給されるので、第１節電処理を継続する場合に比して節電モード中の電子機器の消費電力が増大するが、ユーザーの意図に応じて動作部の動作を継続させることができる。
【００１２】
このように、上記従来技術のように、第１節電処理の実行中に予備電源部から供給可能な電力が動作部を動作させるのに要する電力を下回った場合に、無条件に主電源部から動作部及び予備電源部に電力を供給させる場合に比して、動作部の動作を継続するか否かをユーザーの指示に応じて切り代えて、電力制御部によって節電モードが実行されている期間中に、主電源部から供給させる電力を適宜抑制することができる。
【００１３】
また、前記動作部は、情報を記憶する揮発性の記憶部を含み、前記電力制御部によって前記通常モードの実行が開始されたときに、前記電子機器を前記所定の機能を動作させることが可能な動作状態にし、前記電子機器の動作状態を表す状態情報を前記記憶部に記憶する初期化処理部と、前記電力制御部の実行対象が前記節電モードから前記通常モードに切り替えられたときに、前記記憶部に前記状態情報が記憶されているときは、前記電子機器の動作状態を前記記憶部に記憶されている前記状態情報によって表される動作状態に復帰させる復帰処理部と、を更に備えることが好ましい。
【００１４】
この構成によれば、電力制御部の実行対象が通常モードから節電モードに切り替えられ、第１節電処理が実行されている場合に、予備電源部から供給される電力によって記憶部を動作させることができる間は、所定の機能を動作させることが可能なときの電子機器の動作状態を表す状態情報が記憶部に記憶されている。
【００１５】
このため、第１節電処理の実行中に予備電源部から供給可能な電力が記憶部を動作させるのに要する電力を下回った場合において、指示受付部によって第２指示が受け付けられていたときは、第２節電処理が実行され、主電源部から記憶部へ電力が供給されることによって記憶部の動作を継続させることができ、次に電力制御部の実行対象が節電モードから通常モードに切り替えられたときに、記憶部に状態情報を記憶させておくことができる。
【００１６】
その結果、復帰処理部は、電力制御部の実行対象が節電モードから通常モードに切り替えられたときに、初期化処理部によって電子機器を所定の機能を動作させることが可能な動作状態にするのに要する時間を削減して、電子機器の動作状態を、記憶部に記憶されている状態情報によって表される所定の機能を動作させることが可能なときの動作状態に迅速に復帰させることができる。
【００１７】
また、前記給電制御部は、前記第１節電処理の実行中に前記予備電源部から供給可能な電力が前記動作部を動作させるのに要する電力を下回った場合であって、前記指示受付部によって前記第１指示が受け付けられていたときに、前記第１節電処理の実行を継続するときには、前記予備電源部に蓄電された電力の前記動作部への供給を遮断することが好ましい。
【００１８】
この構成によれば、第１節電処理の実行中に予備電源部から供給可能な電力が動作部を動作させるのに要する電力を下回った場合に、指示受付部によって第１指示が受け付けられていたときに、第１節電処理の実行が継続されるときには、予備電源部に蓄電された電力の動作部への供給が遮断されるので、予備電源部に蓄電された電力が、動作を継続できない動作部に供給されることによって無駄に消費されることを抑制することができる。
【００１９】
また、前記主電源部から供給される電力で画像を処理する画像処理部を更に備え、前記給電制御部は、前記通常給電処理において、更に、前記主電源部から前記画像処理部へ電力を供給させ、前記第１節電処理及び前記第２節電処理において、更に、前記主電源部から前記画像処理部への電力の供給を遮断することが好ましい。
【００２０】
この構成によれば、前記電子機器を、画像処理部を備える画像処理装置に適用することができる。そして、画像処理部に対しては、電力制御部によって通常モードが実行されている期間中にのみ主電源部から電力が供給される。このため、電力制御部によって節電モードが実行されている期間中は、節電モードにおける画像処理装置の消費電力を抑制することができる。
【発明の効果】
【００２１】
本発明によれば、通常モードと通常モードよりも消費電力を抑制する節電モードとを切り替え可能であり、且つ、主電源から供給される電力で充電可能な予備電源を備え、節電モードにおける消費電力を抑制することができる電子機器を提供することが可能になる。
【図面の簡単な説明】
【００２２】
【図１】本発明に係る電子機器の一例である複合機の概略構造図である。
【図２】複合機の電気的構成を示すブロック図である。
【図３】システム制御部のブロック図である。
【図４】通常給電処理、第１節電処理及び第２節電処理と、給電切替部に備えられたスイッチのオンオフ状態と、の関係を示す説明図である。
【図５】電力制御部による通常モードの実行時に、給電制御部により行われる給電制御動作を示すフローチャートである。
【図６】電力制御部による節電モードの実行時に、給電制御部により行われる給電制御動作を示すフローチャートである。
【図７】電力制御部の実行対象を節電モードから通常モードへ切り替えたときに複合機の動作状態を復帰させる動作を示すフローチャートである。
【図８】指示受付部による電力優先指示又は利便性優先指示を受け付ける動作を示すフローチャートである。
【図９】複合機の電気的構成の図２とは別の一例を示すブロック図である。
【発明を実施するための形態】
【００２３】
以下、本発明に係る実施形態を図面に基づいて説明する。図１は、本発明に係る電子機器の一例である複合機１の概略構造図である。
【００２４】
複合機１は、図１に示すように、操作部３と、原稿読取部５と、原稿給送部６と、本体部１００と、を備えている。
【００２５】
操作部３は、情報を表示するための表示部３１と、ユーザーによって各種指示の操作を行わせるための操作キー部３２と、を備えている。表示部３１は、例えばタッチパネル機能を有する液晶ディスプレイ等によって構成されている。操作キー部３２は、スタートキー３３や節電キー３４等を備えている。スタートキー３３は、コピー機能やスキャナー機能等の複合機１の有する各機能の動作を開始させる指示を入力するために設けられている。節電キー３４は、後述する電力制御部９４の実行対象を節電モードに切り替える指示を入力するために設けられている。
【００２６】
原稿読取部５は、露光ランプ及びＣＣＤ（Ｃｈａｒｇｅ  Ｃｏｕｐｌｅｄ  Ｄｅｖｉｃｅ）等からなるスキャナー部５１と、ガラス等の透明部材により構成された原稿台５２及び原稿読取スリット５３と、を備えている。
【００２７】
スキャナー部５１は、図略の駆動部によって移動可能に構成され、原稿台５２に載置された原稿を読み取るときは、原稿台５２に対向する位置で原稿面に沿って移動され、原稿を走査しつつ取得した画像を表す画像データを後述するシステム制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述するシステム制御部１０へ出力する。
【００２８】
原稿給送部６は、原稿を載置するための原稿載置部６１と、原稿読取部５によって画像を読み取る処理が行われた原稿を排出するための原稿排出部６２と、原稿載置部６１に載置された原稿を１枚ずつ繰り出して原稿読取スリット５３に対向する位置へ搬送し、当該搬送動作と同期して原稿読取部５によって画像を読み取る処理が行われた原稿を原稿排出部６２へ排出する原稿搬送機構６３と、を備えている。
【００２９】
本体部１００は、手差トレイ４６０と、複数の給紙カセット４６１と、複数の給紙ローラー４６２と、画像形成部４（画像処理部）と、排出トレイ４８と、を備えている。
【００３０】
給紙ローラー４６２は、用紙が載置された手差トレイ４６０や用紙が収納された給紙カセット４６１から用紙を引き出して、画像形成部４に向けて用紙を搬送する。
【００３１】
画像形成部４は、用紙搬送部４１と、光走査装置４２と、感光体ドラム４３と、現像部４４と、転写部４５と、定着部４６と、排出ローラー４７と、を備えている。
【００３２】
用紙搬送部４１は、複数の搬送ローラー４１３を備えている。各搬送ローラー４１３は、各給紙ローラー４６２によって搬送されてきた用紙を感光体ドラム４３に供給する。
【００３３】
光走査装置４２は、後述するシステム制御部１０による制御のもと、システム制御部１０に入力された画像データに基づいてレーザー光を出力し、このレーザー光によって感光体ドラム４３を走査することで、感光体ドラム４３上に静電潜像を形成する。
【００３４】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００３５】
排出ローラー４７は、画像形成部４によって画像が形成された用紙を排出トレイ４８に排出する。
【００３６】
次に複合機１の電気的構成について説明する。図２は、複合機１の電気的構成を示すブロック図である。図２に示すように、複合機１は、主電源部９１と、予備電源部９２と、給電切替部９３と、電圧センサー９８と、第１動作部Ｇ１（本発明に係る画像処理部の一例）と、第２動作部Ｇ２と、電源制御部９０と、を備えている。
【００３７】
主電源部９１は、商用電源等の交流電源から供給される交流電圧を、図略のＡＣ／ＤＣコンバーターによって所定の電圧値の直流電圧に変換することによって、複合機１の動作に用いる電源電圧を生成する。
【００３８】
予備電源部９２は、例えば、キャパシターやリチウムイオン電池等の二次電池であり、主電源部９１から後述のスイッチＳＷ４を介して供給される電源電圧によって蓄電される。
【００３９】
給電切替部９３は、電源制御部９０による制御の下、オンオフされる４つのスイッチＳＷ１〜ＳＷ４を備えている。
【００４０】
スイッチＳＷ１がオン（閉状態）にされると、主電源部９１から第１動作部Ｇ１へ電源電圧が供給され、スイッチＳＷ１がオフ（開状態）にされると、主電源部９１から第１動作部Ｇ１への電源電圧の供給が遮断される。
【００４１】
スイッチＳＷ２がオンにされると、予備電源部９２に蓄電された電力が後述のシステム制御部１０に含まれる状態記憶部２（本発明に係る動作部及び記憶部の一例）に供給され、スイッチＳＷ２がオフにされると、予備電源部９２から状態記憶部２への電力の供給が遮断される。
【００４２】
スイッチＳＷ３がオンにされると、主電源部９１から後述の状態記憶部２へ電源電圧が供給され、スイッチＳＷ３がオフにされると、主電源部９１から状態記憶部２への電源電圧の供給が遮断される。
【００４３】
スイッチＳＷ４がオンにされると、主電源部９１から予備電源部９２へ電源電圧が供給される。その結果、主電源部９１から供給される電源電圧によって予備電源部９２が蓄電される。スイッチＳＷ４がオフにされると、主電源部９１から予備電源部９２への電源電圧の供給が遮断される。
【００４４】
電圧センサー９８は、予備電源部９２から後述の状態記憶部２に向けて供給される電圧である予備電源電圧の電圧値を検出し、予備電源電圧の電圧値を示す検出信号を電源制御部９０へ出力する。電圧センサー９８は、主電源部９１から供給される電源電圧によって動作する。
【００４５】
第１動作部Ｇ１は、後述するように電力制御部９４による通常モードの実行中に、主電源部９１からスイッチＳＷ１を介して供給された電力によって動作する動作部である。第１動作部Ｇ１には、原稿給送部６、原稿読取部５、画像形成部４、例えば、ＵＳＢメモリー等、画像データが記憶された外部記憶媒体を複合機１に接続するための外部インターフェイス部８（以下、外部Ｉ／Ｆ部８と示す）、及びシステム制御部１０等の画像を処理する動作に関わる動作部が含まれる。
【００４６】
システム制御部１０は、コピー機能やスキャナー機能等の複合機１が有する各機能の動作を司る。図３は、システム制御部のブロック図である。具体的には、システム制御部１０は、所定の演算処理を実行するＣＰＵ（Ｃｅｎｔｒａｌ  Ｐｒｏｃｅｓｓｉｎｇ  Ｕｎｉｔ）１１と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリー１２と、データを一時的に記憶する揮発性のＲＡＭ１３（Ｒａｎｄｏｍ  Ａｃｃｅｓｓ  Ｍｅｍｏｒｙ）と、ＲＡＭ１３に対する情報の読み書き（アクセス）を制御するメモリーコントローラー１４と、を備えている。
【００４７】
不揮発性メモリー１２には、制御プログラムとして、ブートプログラムＰ１と、カーネルプログラムＰ２と、アプリケーションプログラムＰ３が記憶されている。ブートプログラムＰ１は、システム制御部１０の起動時にＣＰＵ１１により実行される制御プログラムである。カーネルプログラムＰ２は、所謂オペレーティングシステムを構成する制御プログラムであり、操作部３や通信部７等の各動作部との間でのデータの入出力制御や、アプリケーションプログラムＰ３の動作を制御するための制御プログラムである。アプリケーションプログラムＰ３は、例えば、コピー機能やスキャナー機能等の複合機１に備えられた各機能をそれぞれ動作させるための制御プログラムである。
【００４８】
ＲＡＭ１３の一部の記憶領域は、状態記憶部２として構成されている。状態記憶部２には、予備電源部９２からスイッチＳＷ２を介して、又は、主電源部９１からスイッチＳＷ３を介して、電力が供給される。状態記憶部２は、状態記憶部２の動作に最低限必要な電力が主電源部９１又は予備電源部９２から供給されている間、記憶されている情報を保持することができる。
【００４９】
状態記憶部２には、以下のようにして情報が記憶される。後述するように、電力制御部９４によって通常モードの実行が開始され、主電源部９１からスイッチＳＷ１を介したシステム制御部１０への電力の供給が開始されると、ＣＰＵ１１は、ブートプログラムＰ１を実行することにより、メモリーコントローラー１４を動作可能にする。
【００５０】
また、ＣＰＵ１１は、ブートプログラムＰ１を実行することにより、不揮発性メモリー１２からカーネルプログラムＰ２及びアプリケーションプログラムＰ３を読み出し、読み出したカーネルプログラムＰ２及びアプリケーションプログラムＰ３を、メモリーコントローラー１４によって状態記憶部２に記憶する。
【００５１】
また、ＣＰＵ１１は、ブートプログラムＰ１を実行することにより、メモリーコントローラー１４によって状態記憶部２に記憶されたカーネルプログラムＰ２を読み出し、カーネルプログラムＰ２を起動する。尚、カーネルプログラムＰ２を起動するとは、ＣＰＵ１１がカーネルプログラムＰ２を実行することによって、状態記憶部２の状態を、システム制御部１０と各動作部との間でのデータの入出力制御や、アプリケーションプログラムＰ３の動作を制御する動作が可能な状態にすることを示す。
【００５２】
ＣＰＵ１１は、カーネルプログラムＰ２を実行することにより、状態記憶部２に記憶されたアプリケーションプログラムＰ３を読み出し、アプリケーションプログラムＰ３を起動する。尚、アプリケーションプログラムＰ３を起動するとは、ＣＰＵ１１がアプリケーションプログラムＰ３で定められた初期動作を実行することによって、状態記憶部２の状態を、コピー機能やスキャナー機能等の複合機１に備えられた各種機能を動作させることが可能な状態にすることを示す。
【００５３】
つまり、アプリケーションプログラムＰ３が起動されると、システム制御部１０は、操作部３や後述の通信部７を介して入力された各指示を受け付け、受け付けた指示に応じて複合機１に備えられた各種機能を動作させることが可能な状態になる。
【００５４】
このように、状態記憶部２は、ブートプログラムＰ１が実行された後、カーネルプログラムＰ２及びアプリケーションプログラムＰ３が記憶された状態になる。更にカーネルプログラムＰ２が起動されると、状態記憶部２は、システム制御部１０と各動作部との間でのデータの入出力制御や、アプリケーションプログラムＰ３の動作を制御する動作が可能な状態になる。更にアプリケーションプログラムＰ３が起動されると、状態記憶部２は、コピー機能やスキャナー機能等の複合機１に備えられた各種機能を動作させることが可能な状態になる。
【００５５】
つまり、状態記憶部２には、複合機１の動作状態がブートプログラムＰ１起動後の状態であることを表す情報や、複合機１の動作状態がカーネルプログラムＰ２起動後の状態であることを表す情報や、複合機１の動作状態がアプリケーションプログラムＰ３起動後の状態であること、つまり、複合機１の動作状態が複合機１に備えられた各種機能を動作させることが可能な状態であることを表す情報が記憶される。
【００５６】
このように、ＣＰＵ１１は、後述する電力制御部９４によって通常モードの実行が開始されたときに、ブートプログラムＰ１、カーネルプログラムＰ２、及びアプリケーションプログラムＰ３を実行することによって、複合機１を、各種機能を動作させることが可能な動作状態にし、複合機１の動作状態を表す情報（以下、状態情報と示す）を状態記憶部２に記憶する。つまり、ＣＰＵ１１、ブートプログラムＰ１、カーネルプログラムＰ２、及びアプリケーションプログラムＰ３によって、本発明に係る初期化処理部の一例が構成されている。
【００５７】
図２に戻り、第２動作部Ｇ２は、給電切替部９３を介することなく、主電源部９１から供給される電源電圧によって動作する動作部である。第２動作部Ｇ２には、操作部３や通信部７が含まれる。
【００５８】
通信部７は、ＬＡＮ（Ｌｏｃａｌ  Ａｒｅａ  Ｎｅｔｗｏｒｋ）やＵＳＢケーブル等に接続されたパソコン等のコンピューターや、電話回線網に接続されたファクシミリ装置との間で通信を実行するための通信インターフェイス回路である。通信部７は、コンピューターやファクシミリ装置等の外部装置から、例えば、プリント機能を実行させる指示等、複合機１に対する動作指示を示す情報を受信する。
【００５９】
電源制御部９０は、例えば、所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリーと、データを一時的に記憶するＲＡＭ（Ｒａｎｄｏｍ  Ａｃｃｅｓｓ  Ｍｅｍｏｒｙ）と、これらの周辺回路等とを備えて構成されている。電源制御部９０は、給電切替部９３を介することなく、主電源部９１から供給される電力によって動作する。
【００６０】
電源制御部９０は、不揮発性メモリーに記憶された制御プログラムを実行することによって、電力制御部９４、給電制御部９５、指示受付部９６、及び復帰処理部９７を構成する。
【００６１】
電力制御部９４は、第１動作部Ｇ１に電力を供給する通常モードと、第１動作部Ｇ１への電力の供給を遮断して、通常モード時よりも複合機１の消費電力を低減させる節電モードと、を択一的に実行する。例えば、電力制御部９４は、複合機１の初期動作時や、ユーザーによる操作部３の操作が行われたときや、通信部７により複合機１に対する動作指示が受信されたときに、通常モードを実行する。また、電力制御部９４は、通常モードを実行している場合に、ユーザーによって節電キー３４の操作が行われたときや、予め定められた期間内にユーザーによって操作部３の操作が何ら行われず、且つ、予め定められた期間内に通信部７によって複合機１に対する動作指示を示す情報が受信されなかったときには、節電モードを実行する。
【００６２】
給電制御部９５は、給電切替部９３に備えられたスイッチＳＷ１〜ＳＷ４のオンオフの切り替えを制御することによって、第１動作部Ｇ１、状態記憶部２、及び予備電源部９２への電力の供給及び遮断を切り替える。
【００６３】
図４は、後述する通常給電処理、第１節電処理及び第２節電処理と、給電切替部９３に備えられたスイッチＳＷ１〜ＳＷ４のオンオフ状態と、の関係を示す説明図である。具体的には、図４に示すように、給電制御部９５は、スイッチＳＷ２をオフにし、スイッチＳＷ１、ＳＷ３、ＳＷ４をオンにすることにより、主電源部９１から第１動作部Ｇ１、状態記憶部２及び予備電源部９２へ電力を供給させる通常給電処理を実行する。
【００６４】
また、給電制御部９５は、スイッチＳＷ２をオンにし、スイッチＳＷ１、ＳＷ３、ＳＷ４をオフにすることにより、主電源部９１から予備電源部９２、第１動作部Ｇ１、及び状態記憶部２への電力の供給を遮断し、予備電源部９２に蓄電された電力を状態記憶部２へ供給させる第１節電処理を実行する。
【００６５】
また、給電制御部９５は、スイッチＳＷ３をオンにし、スイッチＳＷ１、ＳＷ２、ＳＷ４をオフにすることにより、主電源部９１から予備電源部９２及び第１動作部Ｇ１への電力の供給を遮断し、主電源部９１から状態記憶部２へ電力を供給させる第２節電処理を実行する。
【００６６】
給電制御部９５は、通常給電処理と、第１節電処理と、第２節電処理と、を択一的に実行する。給電制御部９５が、通常給電処理と、第１節電処理と、第２節電処理と、を択一的に実行する動作の詳細については後述する。
【００６７】
指示受付部９６は、給電制御部９５に第１節電処理を実行させる指示である電力優先指示（第１指示）と、給電制御部９５に第２節電処理を実行させる指示である利便性優先指示（第２指示）と、をユーザーから択一的に受け付ける。指示受付部９６が、電力優先指示と、利便性優先指示と、をユーザーから択一的に受け付ける動作の詳細については後述する。
【００６８】
復帰処理部９７は、電力制御部９４の実行対象が節電モードから通常モードに切り替えられたときに、状態記憶部２に状態情報が記憶されているか否かを判定する。復帰処理部９７は、状態記憶部２に状態情報が記憶されていると判定したときは、ＣＰＵ１１によるブートプログラムＰ１の実行によってメモリーコントローラー１４が動作可能になった状態で、ＣＰＵ１１によるブートプログラムＰ１の実行を終了させる。これによって、複合機１を、状態記憶部２に記憶されている状態情報によって表される各種機能を動作させることが可能な動作状態に復帰させる。一方、復帰処理部９７は、状態記憶部２に状態情報が記憶されていると判定しなかったときは、ＣＰＵ１１により、ブートプログラムＰ１、カーネルプログラムＰ２、及びアプリケーションプログラムＰ３を実行させることによって、複合機１を、複合機１に備えられた各種機能を動作させることが可能な動作状態に復帰させる。
【００６９】
次に、電力制御部９４による通常モード及び節電モードの実行時に、給電制御部９５により行われる給電制御動作、及び電力制御部９４の実行対象を節電モードから通常モードへ切り替えたときに複合機１の動作状態を復帰させる動作について、図５乃至図８を用いて説明する。図５は、電力制御部９４による通常モードの実行時に、給電制御部９５により行われる給電制御動作を示すフローチャートである。図６は、電力制御部９４による節電モードの実行時に、給電制御部９５により行われる給電制御動作を示すフローチャートである。図７は、電力制御部９４の実行対象を節電モードから通常モードへ切り替えたときに複合機１の動作状態を復帰させる動作を示すフローチャートである。図８は、指示受付部９６による電力優先指示又は利便性優先指示を受け付ける動作を示すフローチャートである。
【００７０】
図５に示すように、複合機１の初期動作時には、電力制御部９４は、通常モードを実行する（Ｓ１）。これと並行して、指示受付部９６は、電力優先指示又は利便性優先指示をユーザーから択一的に受け付ける動作を開始する。
【００７１】
図８に示すように、指示受付部９６は、電力優先指示又は利便性優先指示をユーザーから択一的に受け付ける動作を開始すると、後述の指示受付画面を表示部３１に表示させるための指示受付ボタンを表示部３１に表示させる（Ｓ３１）。
【００７２】
指示受付部９６は、ユーザーによる操作キー部３２の操作や表示部３１のタッチ操作等によって指示受付ボタンが押下されると（Ｓ３２；ＹＥＳ）、指示受付画面を表示部３１に表示させる（Ｓ３３）。例えば、指示受付画面には、電力優先指示又は利便性優先指示を示すボタンが択一的に選択可能なように表示される。
【００７３】
そして、指示受付部９６は、ユーザーによる操作キー部３２の操作や表示部３１のタッチ操作等によって、電力優先指示を示すボタンが押下されると（Ｓ３４；電力優先）、電力優先指示を受け付け、電力優先指示を受け付けたことを示す情報を電源制御部９０のＲＡＭに記憶する（Ｓ３５）。一方、指示受付部９６は、利便性優先指示を示すボタンが押下されると（Ｓ３４；利便性優先）、利便性優先指示を受け付け、利便性優先指示を受け付けたことを示す情報を電源制御部９０のＲＡＭに記憶する（Ｓ３６）。
【００７４】
そして、指示受付部９６は、表示部３１に指示受付画面の表示を終了させ（Ｓ３７）、ステップＳ３２以降の処理を繰り返す。
【００７５】
図５に戻り、電力制御部９４による通常モードの実行が開始されると（Ｓ１）、給電制御部９５は、スイッチＳＷ２をオフにし、スイッチＳＷ１、ＳＷ３、ＳＷ４をオンにする。これにより、給電制御部９５は、通常給電処理を実行する（Ｓ２）。その結果、主電源部９１から第１動作部Ｇ１、状態記憶部２及び予備電源部９２へ電力が供給される。
【００７６】
主電源部９１から第１動作部Ｇ１に含まれるシステム制御部１０に電力が供給されるようになると、ＣＰＵ１１は、不揮発性メモリー１２に記憶されているブートプログラムＰ１を読み出して実行する（起動する）（Ｓ３）。上述のように、ＣＰＵ１１は、ブートプログラムＰ１を実行することにより、メモリーコントローラー１４を動作可能にした後、不揮発性メモリー１２に記憶されているカーネルプログラムＰ２及びアプリケーションプログラムＰ３を読み出し、読み出したカーネルプログラムＰ２及びアプリケーションプログラムＰ３をメモリーコントローラー１４によって状態記憶部２に記憶する。
【００７７】
そして、ＣＰＵ１１は、ブートプログラムＰ１を実行することにより、状態記憶部２に記憶されたカーネルプログラムＰ２を起動する（Ｓ４）。これにより、状態記憶部２は、システム制御部１０と各動作部との間でのデータの入出力制御や、アプリケーションプログラムＰ３の動作を制御する動作が可能な状態になる。
【００７８】
ＣＰＵ１１は、カーネルプログラムＰ２を実行することにより、状態記憶部２に記憶されたアプリケーションプログラムＰ３を読み出し、アプリケーションプログラムＰ３を起動する（Ｓ５）。これにより、状態記憶部２は、コピー機能やスキャナー機能等の複合機１に備えられた各種機能を動作させることが可能な状態になる。つまり、状態記憶部２は、複合機１の動作状態が、複合機１に備えられた各種機能を動作させることが可能な状態であることを表す情報が状態情報として記憶された状態になる。
【００７９】
そして、復帰処理部９７は、状態記憶部２において状態情報が記憶されている記憶領域のアドレス情報を電源制御部９０内のＲＡＭに記憶する（Ｓ６）。
【００８０】
そして、電力制御部９４が通常モードを実行している場合において、ユーザーによって節電キー３４の操作が行われたときは（Ｓ７；ＹＥＳ）、電力制御部９４は、節電モードの実行を開始する（Ｓ９）。
【００８１】
また、電力制御部９４が通常モードを実行している場合において、ユーザーによって節電キー３４の操作が行われず（Ｓ７；ＮＯ）、且つ、予め定められた期間内にユーザーによる操作部３の操作がなく、また、予め定められた期間内に通信部７によって複合機１に対する動作指示を示す情報の受信がなかったときは（Ｓ８；ＹＥＳ）、電力制御部９４は、節電モードの実行を開始する（Ｓ９）。
【００８２】
電力制御部９４による節電モードの実行が開始されると（Ｓ９）、図６に示すように、給電制御部９５は、スイッチＳＷ２をオンにし、スイッチＳＷ１、ＳＷ３、ＳＷ４をオフにする。これによって、給電制御部９５は、第１節電処理を実行する（Ｓ１０）。その結果、主電源部９１から予備電源部９２、第１動作部Ｇ１、及び状態記憶部２への電力の供給が遮断され、予備電源部９２に蓄電された電力が状態記憶部２へ供給される。
【００８３】
そして、給電制御部９５は、第１節電処理の実行中に、電圧センサー９８によって検出された予備電源部９２から供給される予備電源電圧の電圧値が、状態記憶部２を動作させるのに必要な電圧値として予め定められた規定値以上であると判定したときは（Ｓ１１；ＹＥＳ）、第１節電処理の実行を継続する。
【００８４】
一方、給電制御部９５は、第１節電処理の実行中に、電圧センサー９８によって検出された予備電源部９２から供給される予備電源電圧の電圧値が規定値未満になったと判定した場合に（Ｓ１１；ＮＯ）、電源制御部９０のＲＡＭに電力優先指示を示す情報が記憶されており、つまり、指示受付部９６によって電力優先指示が受け付けられていたときは（Ｓ１２；ＹＥＳ）、第１節電処理の実行を継続する。この場合、予備電源部９２から供給される電力によって状態記憶部２を動作させることができなくなり、状態記憶部２に記憶されている状態情報を消失することになる。
【００８５】
また、給電制御部９５は、第１節電処理の実行中に、電圧センサー９８によって検出された予備電源部９２から供給される予備電源電圧の電圧値が規定値未満になった場合に（Ｓ１１；ＮＯ）、電源制御部９０のＲＡＭに利便性優先指示を示す情報が記憶されており、つまり、指示受付部９６によって利便性優先指示が受け付けられていたときは（Ｓ１２；ＮＯ）、スイッチＳＷ３をオンにし、スイッチＳＷ１、ＳＷ２、ＳＷ４をオフにする。これにより、給電制御部９５は、第２節電処理を実行する（Ｓ１３）。その結果、主電源部９１から予備電源部９２及び第１動作部Ｇ１への電力の供給が遮断され、主電源部９１から状態記憶部２へ電力が供給されるので、状態記憶部２は動作を継続することができ、つまり、状態記憶部２に記憶されている状態情報を保持することができる。
【００８６】
そして、ユーザーによる操作部３の操作がなく、また、通信部７による複合機１に対する動作指示の受信がない場合は（Ｓ１４；ＮＯ）、ステップＳ１１以降の処理が繰り返される。その後、ユーザーにより操作部３の操作が行われた場合、又は、通信部７により複合機１に対する動作指示を示す情報が受信された場合には（Ｓ１４；ＹＥＳ）、電力制御部９４は、節電モードに替えて通常モードを実行する（Ｓ１５）。
【００８７】
電力制御部９４による通常モードの実行が開始されると（Ｓ１５）、図７に示すように、給電制御部９５は、ステップＳ２と同様に、通常給電処理を実行する（Ｓ１６）。これにより、主電源部９１から第１動作部Ｇ１、状態記憶部２及び予備電源部９２へ電力が供給される。
【００８８】
主電源部９１から第１動作部Ｇ１に含まれるシステム制御部１０に電力が供給されるようになると、ＣＰＵ１１は、不揮発性メモリー１２に記憶されているブートプログラムＰ１を読み出して実行する（起動する）（Ｓ１７）。ＣＰＵ１１は、ブートプログラムＰ１を実行することにより、メモリーコントローラー１４を動作可能にする。
【００８９】
次に、復帰処理部９７は、メモリーコントローラー１４が動作可能になると（Ｓ１８；ＹＥＳ）、ＣＰＵ１１によるブートプログラムＰ１の実行を中断させ（Ｓ１９）、状態記憶部２に状態情報が記憶されているか否かの判定を行う（Ｓ２０）。具体的には、復帰処理部９７は、ステップＳ６において電源制御部９０内のＲＡＭに記憶したアドレス情報を読み出し、読み出したアドレス情報に対応する状態記憶部２の記憶領域に情報が消失することなく記憶されている場合には、状態記憶部２に状態情報が記憶されていると判定する。一方、復帰処理部９７は、読み出したアドレス情報に対応する状態記憶部２の記憶領域に情報が記憶されていない場合には、状態記憶部２に状態情報が記憶されていないと判定する。
【００９０】
復帰処理部９７は、状態記憶部２に状態情報が記憶されていると判定したときは（Ｓ２０；ＹＥＳ）、状態記憶部２には、複合機１の動作状態が複合機１に備えられた各種機能を動作させることが可能な状態であることを表す情報が状態情報として記憶されているので、ＣＰＵ１１によるブートプログラムＰ１の実行を終了させる（Ｓ２１）。この場合、状態記憶部２はステップＳ５の実行後の状態であり、複合機１の動作状態は、複合機１に備えられた各種機能を動作させることが可能な状態に復帰している。
【００９１】
このように、復帰処理部９７によって状態記憶部２に状態情報が記憶されていると判定されたときには（Ｓ２０；ＹＥＳ）、ＣＰＵ１１によってカーネルプログラムＰ２及びアプリケーションプログラムＰ３を起動させることなく、迅速に複合機１の動作状態を複合機１に備えられた各種機能を動作させることが可能な状態に復帰させることができる。これによって、ユーザーは、電力制御部９４の実行対象が節電モードから通常モードに切り替えられた後、迅速に各機能を動作させることができ、ユーザーの利便性が向上する。
【００９２】
一方、復帰処理部９７は、状態記憶部２に状態情報が記憶されていないと判定したときは（Ｓ２０；ＮＯ）、ＣＰＵ１１によるブートプログラムＰ１の実行を再開させる（Ｓ２２）。これにより、ステップＳ４及びステップＳ５と同様に、ＣＰＵ１１によってカーネルプログラムＰ２が起動された後（Ｓ２３）、ＣＰＵ１１によってアプリケーションプログラムＰ３が起動される（Ｓ２４）。これにより、状態記憶部２は、コピー機能やスキャナー機能等の複合機１に備えられた各種機能を動作させることが可能な状態となり、複合機１の動作状態は、複合機１に備えられた各種機能を動作させることが可能な状態に復帰される。
【００９３】
ステップＳ２１及びステップＳ２４の後は、ステップＳ７（図５）以降の処理が繰り返される。
【００９４】
この構成によれば、電力制御部９４によって節電モードが実行される期間中は、給電制御部９５によって第１節電処理が実行され、主電源部９１から予備電源部９２への電力の供給が遮断され、予備電源部９２に蓄電された電力が状態記憶部２へ供給される。これによって、電力制御部９４によって節電モードが実行される期間中において、予備電源部９２に蓄電された電力によって状態記憶部２を動作させることができる間は、主電源部９１から状態記憶部２及び予備電源部９２への電力の供給が行われないので、複合機１の消費電力を抑制することができる。
【００９５】
そして、第１節電処理の実行中に予備電源部９２から供給可能な電力が状態記憶部２を動作させるのに要する電力を下回った場合、指示受付部９６によってユーザーから電力優先指示が受け付けられていたときは、第１節電処理の実行が継続される。この場合、状態記憶部２は動作を継続できないが、主電源部９１から状態記憶部２及び予備電源部９２への電力の供給が行われないので、ユーザーの意図に応じて節電モード中の複合機１の消費電力を抑制することができる。これによって、節電モードにおける複合機１の消費電力を、規格によって定められた許容値に制限することが容易になる。
【００９６】
一方、第１節電処理の実行中に予備電源部９２から供給可能な電力が状態記憶部２を動作させるのに要する電力を下回った場合、指示受付部９６によってユーザーから利便性優先指示が受け付けられていたときは、第１節電処理に替えて第２節電処理が実行され、主電源部９１から状態記憶部２へ電力が供給される。この場合、電力制御部９４によって節電モードが実行された場合において、主電源部９１から状態記憶部２へ電力が供給されるので、第１節電処理を継続する場合に比して節電モード中の複合機１の消費電力が増大するが、ユーザーの意図に応じて状態記憶部２の動作を継続させることができる。
【００９７】
つまり、上記実施形態によれば、第１節電処理の実行中に予備電源部９２から供給可能な電力が状態記憶部２を動作させるのに要する電力を下回った場合に、無条件に主電源部９１から状態記憶部２及び予備電源部９２に電力を供給させる場合に比して、状態記憶部２の動作を継続するか否かをユーザーの指示に応じて切り代えて、電力制御部９４によって節電モードが実行されている期間中に、主電源部９１から供給させる電力を適宜抑制することができる。
【００９８】
また、電力制御部９４の実行対象が通常モードから節電モードに切り替えられ、第１節電処理が実行されている場合に、予備電源部９２から供給される電力によって状態記憶部２を動作させることができる間は、複合機１に備えられた各種機能を動作させることが可能なときの複合機１の動作状態を表す状態情報が状態記憶部２に記憶されている。
【００９９】
このため、第１節電処理の実行中に予備電源部９２から供給可能な電力が状態記憶部２を動作させるのに要する電力を下回った場合において、指示受付部９６によって利便性指示が受け付けられていたときは、第２節電処理が実行され、主電源部９１から状態記憶部２へ電力が供給されることによって状態記憶部２の動作を継続させることができ、次に電力制御部９４の実行対象が節電モードから通常モードに切り替えられたときに、状態記憶部２に状態情報を記憶させておくことができる。
【０１００】
その結果、復帰処理部９７は、電力制御部９４の実行対象が節電モードから通常モードに切り替えられたときに、ＣＰＵ１１によってカーネルプログラムＰ２及びアプリケーションプログラムＰ３を起動させることによって複合機１を複合機１に備えられた各種機能を動作させることが可能な動作状態にするのに要する時間を削減して、複合機１の動作状態を、状態記憶部２に記憶されている状態情報によって表される複合機１に備えられた各種機能を動作させることが可能なときの動作状態に迅速に復帰させることができる。
【０１０１】
また、第１動作部Ｇ１に対しては、電力制御部９４によって通常モードが実行されている期間中にのみ主電源部９１から電力が供給される。このため、電力制御部９４によって節電モードが実行されている期間中は、節電モードにおける複合機１の消費電力を抑制することができる。
【０１０２】
尚、上記実施形態において図１乃至図８に示した構成は単なる一例に過ぎず、本発明を上記実施形態に限定する趣旨ではない。
【０１０３】
例えば、上記実施形態では、給電制御部９５は、第１節電処理の実行中に、電圧センサー９８によって検出された予備電源部９２から供給される予備電源電圧の電圧値が規定値未満になったと判定した場合に（Ｓ１１；ＮＯ）、電源制御部９０のＲＡＭに電力優先指示を示す情報が記憶されており、つまり、指示受付部９６によって電力優先指示が受け付けられていたときは（Ｓ１２；ＹＥＳ）、第１節電処理の実行を継続する。このとき（Ｓ１２；ＹＥＳ）、状態記憶部２は予備電源部９２により供給される予備電源電圧では動作できない状態にあるので、給電制御部９５は、更に、スイッチＳＷ２をオフにして、予備電源部９２から状態記憶部２への電力の供給を遮断するように構成してもよい。
【０１０４】
この構成によれば、第１節電処理の実行中に予備電源部９２から供給可能な電力が状態記憶部２を動作させるのに要する電力を下回った場合に、指示受付部９６によって電力優先指示が受け付けられていたときに、第１節電処理の実行が継続されるときには、予備電源部９２に蓄電された電力の状態記憶部２への供給が遮断されるので、予備電源部９２に蓄電された電力が、動作を継続できない状態記憶部２に供給されることによって無駄に消費されることを抑制することができる。
【０１０５】
また、予備電源部９２からスイッチＳＷ２を介して、又は、主電源部９１からスイッチＳＷ３を介して、供給される電力によって動作する動作部は、状態記憶部２に限定されない。例えば、電力制御部９４によって節電モードが実行されているときに点灯動作するインジケーターを操作部３付近に設け、予備電源部９２からスイッチＳＷ２を介して、又は、主電源部９１からスイッチＳＷ３を介して、当該インジケーターに電力を供給するように構成してもよい。
【０１０６】
また、状態記憶部２は、主電源部９１からスイッチＳＷ１を介して供給される電力によって動作するように構成してもよい。図９は、複合機１の電気的構成の図２とは別の一例を示すブロック図である。これに合わせて、例えば図９に示すように、複合機１が、予備電源部９２からスイッチＳＷ２を介して、又は、主電源部９１からスイッチＳＷ３を介して、供給される電力によって動作するＲＡＭ１３ａ（本発明に係る動作部及び記憶部の一例）を備えるように構成してもよい。
【０１０７】
これに合わせて、復帰処理部９７は、ステップＳ６（図５）において、状態記憶部２において状態情報が記憶されている記憶領域のアドレス情報を電源制御部９０内のＲＡＭに記憶することに代えて、状態記憶部２に記憶されている状態情報をＲＡＭ１３ａに記憶し、ＲＡＭ１３ａに状態情報が記憶されている記憶領域のアドレス情報を電源制御部９０内のＲＡＭに記憶するように構成してもよい。そして、ステップＳ１１（図６）において給電制御部９５による判定に用いられる規定値を、ＲＡＭ１３ａを動作させるのに必要な電圧値に定めるように構成してもよい。
【０１０８】
そして、復帰処理部９７は、ステップＳ２０（図７）において、状態記憶部２に状態情報が記憶されているか否かの判定を行うことに代えて、上記の変更されたステップＳ６において電源制御部９０内のＲＡＭに記憶したアドレス情報を読み出し、読み出したアドレス情報に対応するＲＡＭ１３ａの記憶領域に情報が消失することなく記憶されているかを判定することによって、ＲＡＭ１３ａに状態情報が記憶されているか否かの判定を行うように構成してもよい。
【０１０９】
そして、復帰処理部９７は、上記の変更されたステップＳ２０において、ＲＡＭ１３ａに状態情報が記憶されていると判定したときは、ステップＳ２１を実行し、ステップＳ２１において、ＣＰＵ１１によるブートプログラムＰ１の実行を終了させるとともに、ＲＡＭ１３ａに記憶されている状態情報を状態記憶部２に記憶するように構成してもよい。一方、復帰処理部９７は、上記の変更されたステップＳ２０において、ＲＡＭ１３ａに状態情報が記憶されていないと判定したときは、ステップＳ２２以降の処理を実行するように構成してもよい。
【０１１０】
この場合、ステップＳ１０（図６）において、給電制御部９５によって第１節電処理が実行されることによって、第１動作部Ｇ１への電力の供給が遮断されると、状態記憶部２を動作させることができなくなり、状態記憶部２に記憶されていた状態情報を消失することになる。しかし、ステップＳ１３が実行された場合には、主電源部９１からＲＡＭ１３ａへ電力が供給されるので、ＲＡＭ１３ａは動作を継続することができ、つまり、ＲＡＭ１３ａは、上記の変更されたステップＳ６において記憶された、状態記憶部２に記憶されていた状態情報を保持することができる。
【０１１１】
そして、上記の変更されたステップＳ２０において、復帰処理部９７は、ＲＡＭ１３ａに状態情報が記憶されていると判定したときには、上記の変更されたステップＳ２１を実行し、ＲＡＭ１３ａに記憶されている状態情報を状態記憶部２に記憶する。これによって、状態記憶部２の状態をステップＳ５の実行後の状態にし、つまり、複合機１の動作状態を、複合機１に備えられた各種機能を動作させることが可能な状態に復帰させることができる。
【０１１２】
また、ＲＡＭ１３の記憶領域の一部を状態記億部２として構成せず、電源制御部９０が不揮発性メモリーに記憶された制御プログラムを実行することによって復帰処理部９７を構成しないようにし、ステップＳ６、Ｓ１８〜Ｓ２２を行わないようにして、ステップＳ１７の後、ステップＳ２３、Ｓ２４を行うように簡素化してもよい。
【０１１３】
この場合、例えば、上記のように、電力制御部９４によって節電モードが実行されているときに点灯動作するインジケーターを操作部３付近に設け、予備電源部９２からスイッチＳＷ２を介して、又は、主電源部９１からスイッチＳＷ３を介して、当該インジケーターに電力を供給するように構成すると、第１節電処理の実行中に、電圧センサー９８によって検出された予備電源部９２から供給される予備電源電圧の電圧値が規定値未満になった場合に（Ｓ１１；ＮＯ、図６）、指示受付部９６によって電力優先指示が受け付けられていたときは（Ｓ１２；ＹＥＳ、図６）、第１節電処理の実行が継続される。これによって、主電源部９１からインジケーターへ電力が供給されず、インジケーターを動作させることができなくなるが、複合機１の消費電力を抑制することができる。一方、指示受付部９６によって利便性優先指示が受け付けられていたときは（Ｓ１２；ＮＯ、図６）、第２節電処理が実行される（Ｓ１３、図６）。これによって、主電源部９１からインジケーターへ電力が供給され、インジケーターの点灯動作を継続することができる。その結果、ユーザーは電力制御部９４によって節電モードが実行されていることに気付き易くなり、複合機１の利便性が高まることとなる。
【０１１４】
また、上記実施形態では、本発明に係る電子機器として、複合機１を例に説明したが、本発明に係る電子機器は、例えば、スキャナー、ファクシミリ装置、プリンター及びコピー機等の画像処理装置、ゲーム機、携帯電話、並びに、カーナビゲーション装置に適用することも可能である。
【符号の説明】
【０１１５】
１  複合機（電子機器、画像処理装置）
２  状態記億部（動作部、記憶部）
３  操作部
４  画像形成部
５  原稿読取部
６  原稿給送部
７  通信部
８  外部インターフェイス部
１０  システム制御部
１１  ＣＰＵ（初期化処理部）
１２  不揮発性メモリー
１３  ＲＡＭ
１３ａ  ＲＡＭ（動作部、記憶部）
１４  メモリーコントローラー
３１  表示部
３４  節電キー
９０  電源制御部
９１  主電源部
９２  予備電源部
９３  給電切替部
９４  電力制御部
９５  給電制御部
９６  指示受付部
９７  復帰処理部
９８  電圧センサー
Ｇ１  第１動作部（画像処理部）
Ｇ２  第２動作部
Ｐ１  ブートプログラム（初期化処理部）
Ｐ２  カーネルプログラム（初期化処理部）
Ｐ３  アプリケーションプログラム（初期化処理部）
【図１】
2014167686.tif 000003
【図２】
2014167686.tif 000004
【図３】
2014167686.tif 000005
【図４】
2014167686.tif 000006
【図５】
2014167686.tif 000007
【図６】
2014167686.tif 000008
【図７】
2014167686.tif 000009
【図８】
2014167686.tif 000010
【図９】
2014167686.tif 000011